(57)【要約】【課題】雷センサーによって雷の発生を検出するに当り、低コストで雷発生の状況を判別することができる雷発生モニター用システムを提供すること。【解決手段】本発明の雷発生モニター用システムは、雷センサー２０の検出出力を複合機３０に供給する光ファイバー４０と、光ファイバー４０により供給された前記検出出力をデータとして処理し、複合機３０の記憶部３０２に記憶させるための制御部３０５、演算処理回路３１０からなる制御手段と、記憶部３０２に記憶されたデータを読み出し、複合機３０のプリンター３０３により出力する制御回路３０５と、を備えて構成した。【選択図】図１
2007121110.tif 000002
【特許請求の範囲】
【請求項１】
雷センサーの検出出力を複合機に供給する供給手段と、
前記供給手段により供給された前記検出出力をデータとして処理をし前記複合機の記憶部に記憶させる処理手段と、
前記記憶部に記憶されたデータを読み出し、前記複合機のプリンターにより出力する出力制御手段と、
を備えて構成したことを特徴とする雷発生モニター用システム。
【請求項２】
複数の複合機がネットワークを介して共通のホストコンピュータに接続されたシステムにおいて、
雷センサーの検出出力を前記複合機に供給する供給手段と、
前記供給手段により供給された前記検出出力を前記複合機においてデータとして処理する処理手段と、
前記処理手段によって処理された前記データを前記ネットワークを介してホストコンピュータに伝送する伝送手段と、
を備えて構成したことを特徴とする雷発生モニター用システム。
【請求項３】
複数の複合機がネットワークを介して共通のホストコンピュータに接続されたシステムにおいて、
雷センサーの検出出力を前記複合機に供給する供給手段と、
前記供給手段により供給された前記検出出力を前記複合機においてデータとして処理する処理手段と、
前記処理手段によって処理されたデータを前記ネットワークを介してホストコンピュータに伝送する伝送手段と、
前記ホストコンピュータにおいて集中的に処理された前記データの結果を所定の複合機に返送する返送手段と、
前記返送手段によって返送されたデータを前記複合機に設けた記憶部に記憶する記憶手段と、
前記記憶部に記憶されたデータを前記複合機に設けたプリンターにより選択的に出力する出力制御手段と、
を備えて構成したことを特徴とする雷発生モニター用システム。
【請求項４】
前記供給手段は、前記雷センサーに設けた検出出力を電気信号に変換する電気・光変換部と、該電気・光変換部に一端が接続さたれた光ファイバーと、前記複合機に設けられ前記光ファイバーの他端に接続された光・電気変換部とから構成されていることを特徴とする請求項１〜３のいずれかに記載の雷発生モニター用システム。
【発明の詳細な説明】
【技術分野】
【０００１】
本発明は、雷サージを検出して雷の発生状況をモニターする雷発生モニター用システムに関する。
【背景技術】
【０００２】
従来、雷サージを検出して雷の発生状況を判別する技術としては、例えば、下記の特許文献１で示すものが提案されている。これは、雷が発生するとセンサ部で雷サージ電圧を得る。得られた電圧信号は電気・光変換を行ない光ファイバケーブルによって遠隔地の信号処理回路に伝送する。信号処理回路では光・電気変換を行なってその信号を処理する。このようにして、雷サージ電圧を光データとして遠隔地に伝送し信号処理を行ない、雷の発生状況を判別するようにしていた。
【０００３】
【特許文献１】特開２００４−２１９１２０号公報
【発明の開示】
【発明が解決しようとする課題】
【０００４】
しかしながら、上記特許文献１で示す従来技術における雷の発生状況を確認するシステムは、雷の発生により得られたデータを処理するための処理回路、その出力のための出力部、伝送路等を設けなければならない。そのため、従来のシステムはコスト的に不利であった。
【０００５】
そこで、本発明は、上記の問題点に鑑みなされたものであり、低コストで雷発生の状況を判別することができる雷発生モニター用システムを提供することを目的とする。
【課題を解決するための手段】
【０００６】
上記課題を解決するために、本願の請求項１に係る雷発生モニター用システムの発明は、雷センサーの検出出力を複合機に供給する供給手段（例えば、光ファイバー４０）と、
前記供給手段により供給された前記検出出力をデータとして処理をし前記複合機の記憶部に記憶させるための処理手段と（例えば、制御部３０５、演算処理回路３１０から形成される手段）、
前記記憶部に記憶されたデータを読み出し、前記複合機のプリンターにより出力する出力制御手段（例えば、制御部３０５）と、
を備えて構成したことを特徴とする。
【０００７】
また、本願の請求項２に係る雷発生モニター用システムの発明は、複数の複合機をネットワークを介して共通のホストコンピュータに接続されたシステムにおいて、
雷センサーの検出出力を前記複合機に供給する供給手段（例えば、光ファイバー４０）と、
前記供給手段により供給された前記検出出力を前記複合機においてデータとして処理するための処理手段（例えば、制御部３０５、演算処理回路３１０からなる手段）と、
前記処理手段によって処理された前記データを前記ネットワークを介してホストコンピュータに伝送する伝送手段（例えば、ネットワーク５０）と、
を備えて構成したことを特徴とする。
【０００８】
また、本願の請求項３に係る雷発生モニター用システムの発明は、複数の複合機をネットワークを介して共通のホストコンピュータに接続されたシステムにおいて、
雷センサーの検出出力を前記複合機に供給する供給手段と、
前記供給手段により供給された前記検出出力を前記複合機においてデータとして処理をして記憶させるための処理手段（例えば、制御回路３０５、演算処理回路３１０からなる手段）と、
前記処理手段によって処理された前記データを前記ネットワークを介してホストコンピュータに伝送する伝送手段（例えば、ネットワーク５０）と、
前記ホストコンピュータにおいて集中的に処理された前記データの結果を所定の複合機に返送する返送手段（例えば、ネットワーク５０）と、
前記返送手段によって返送されたデータを前記複合機に設けた記憶部に記憶する記憶手段と、
前記記憶部に記憶されたデータを前記複合機に設けたプリンターにより選択的に出力する出力制御手段と、
を備えて構成したことを特徴とする。
【０００９】
また、本願の請求項４に係る雷発生モニター用システムの発明においては、前記供給手段は、前記雷センサーに設けた検出出力を電気信号に変換する電気・光変換部と、該電気・光変換部に一端が接続さたれた光ファイバーと、前記複合機に設けられ前記光ファイバーの他端に接続された光・電気変換部とから構成されていることを特徴とする。
【発明の効果】
【００１０】
本願の請求項１に係る発明の雷発生モニター用システムは、前記雷センサーによって検出された検出出力が前記複合機においてデータ処理されて前記記憶部にされ、前記記憶部に記憶されたデータが前記制御手段によりプリンターによりプリントアウトされるので、以下の効果を有する。
第一に、前記雷センサーの検出結果は、必要に応じて紙面にプリントされるためその内容を正確に把握することができる。
第二に、前記記憶部、前記プリンター等は既存の複合機に内蔵されているものを用いることができるため、実質的に前記雷センサーの出力を前記複合機の入力側に供給するだけでよい。従って、低廉なコストで雷発生モニター用システムを得ることができる。
【００１１】
また、本願の請求項２に係る発明の雷発生モニター用システムは、前記雷センサーによって検出された検出出力が前記複合機においてデータ処理され、前記ネットワークを介して遠隔地のホストコンピュータに伝送されるので、以下の効果を有する。
第一に、前記雷センサーの検出出力が既存の複合機で処理されてネットワークを介して既存のホストコンピュータに伝送され、このホストコンピュータにおいてモニターを行なうことができる。従って、低コストの雷発生モニター用システムが得られる。
第二に、雷の発生が異なる位置に設置された複数の複合機で検出され、前記ネットワークを介して前記ホストコンピュータに伝送され、前記ホストコンピュータにおいてモニターされることにより、多点の観測データを集中管理する雷発生モニター用システムを提供できる。
【００１２】
また、本願の請求項３に係る発明の雷発生モニター用システムは、前記雷センサーによって検出された検出データが前記複合機から前記ネットワークを介して遠隔地のホストコンピュータに伝送され、前記ホストコンピュータで集中的に処理され、その後に前記ネットワークを介して前記複合機に返送されるので、以下の効果を有する。
第一に、前記雷センサーの検出データが既存の複合機で処理されてネットワークを介して既存のホストコンピュータに伝送され、このホストコンピュータにおいてモニターを行なうことができる。従って、低コストの雷発生モニター用システムが得られる。
第二に、雷の発生が異なる位置に設置された前記複合機で検出され、前記ネットワークを介して前記ホストコンピュータに伝送され、前記ホストコンピュータにおいてモニターされることにより、多点の観測データを低コストで集中管理する雷発生モニター用システムを提供できる。
第三に、前記ホストコンピュータで集中的に処理して得られたデータを所定の複合機に返送して必要に応じて紙面にプリントされるため、集中的に処理したデータを複合機側で把握することができる。しかも、既存の記憶部とプリンターを用いるためコスト的に有利な雷発生モニター用システムを提供できる。
【００１３】
また、本願の請求項４に係る発明の雷発生モニター用システムは、前記雷センサーから前記複合機に信号を供給する供給手段が導線を用いない光学的な手段をとっているため、高電圧の雷サージ電圧が前記複合機に侵入し、その集積回路を損傷させてしまう事故を防止できる効果を有する。
【発明を実施するための最良の形態】
【００１４】
以下、本発明の具体例を実施例及び図面を用いて詳細に説明する。
【実施例１】
【００１５】
以下、本発明の実施例について図面を参照して説明する。図１は本発明の実施例における雷発生モニター用システムを示すブロック図、図２は雷発生モニター用システムにおける集中管理の動作を示すフローチャート、図３は雷発生モニター用システムにおけるプリントアウトの動作を示すフローチャートである。
【００１６】
図１において雷発生モニター用システム１は、公衆電話用アンテナ１０と、公衆電話用アンテナ１０のアンテナ線１０１と結合する雷センサー２０と、雷センサー２０の出力側が接続された既存の複合機３０と、雷センサー２０と複合機３０との間を接続する光ファイバー４０と、複合機３０が接続されたネットワーク５０と、ネットワーク５０を介して複合機３０に接続された遠隔地にあるホストコンピュータ６０とから構成されている。
【００１７】
全体的には、複数の公衆電話用アンテナ１０と、雷センサー２０と、複合機３０が１セットとなり、このセットがネットワーク５０に複数接続されている。そして、夫々のセットは互いに異なった箇所に設置されている。ここで、複合機３０がホストコンピュータ６０にネットワーク５０を介して接続された構成の部分については従前から存在するものである。
【００１８】
公衆電話用アンテナ１０はアンテナ線１０１を介して基地局としての送受信装置７０に接続され、公衆電話のデータを送受信するためにアンテナとしての機能を果たしている。この構成は従前から存在するものである。
【００１９】
雷センサー２０はアンテナ線１０１と誘導コイル２０１でもって結合されている。この誘導コイル２０１は高耐圧フェライトコアを用いてアンテナ線１０１に発生した雷による雷サージ電流を得るようになっている。このサージ電流による波形はＡ／Ｄ変換回路２０２によってデジタル信号に変換される。デジタル信号は電気・光変換部２０３によって光信号に変換され、光ファイバー４０へと送出される。
【００２０】
複合機３０は、スキャナー３０１と、画像データ等の記憶部３０２と、プリンター３０３と、操作部３０４と、制御部３０５と、ネットワーク５０と接続するインターフェース３０６とを有する。ここで、この構成は従前から存在するものである。
【００２１】
複合機３０は、新たに、光ファイバー４０に接続されている入力端子３０７と、光ファイバー４０で送られてきた光信号を電気信号に変換する光・電気変換部３０８と、雷発生を警告する警告表示部３０９とを備えている。また、制御部３０５は演算処理回路３１０を有している。
【００２２】
このようにして、電気・光変換部２０３、光ファイバー４０、光・電気変換部３０８でもって雷センサー２０の検出出力を複合機３０に供給する供給手段が形成されている。また、制御部３０５と演算処理回路３１０とでもって検出出力を処理して記憶部３０２に記憶する処理手段が形成されている。この処理はデジタル信号から雷サージの波高値と波尾長を得て雷の接近状態を判別するものである。制御部３０５は判別の結果、警告表示部３０９に警告を発するように制御する。
【００２３】
演算処理して得られたデータは制御部３０５によって日時が付され記憶部３０２に記憶されるようになっている。記憶部３０２に記憶されたデータは、操作部３０４の操作によって読み出され、制御部３０５の指示に基づいてプリンター３０３によってプリントアウトされるようになっている。この処理と制御は制御部３０５と演算処理回路３１０における新たな機能として若干のソフトウェアの付加によって達成できる。
【００２４】
また、データはネットワーク５０を介してホストコンピュータ６０に伝送されるようになっている一方、ホストコンピュータ５０からはデータが複合機３０の方に伝送されるようになっている。
【００２５】
複合機３０は、複合的な機能を達成するために従前から下記に示す機能を有する。その一例としては、スキャナー３０１で読み込まれた原稿の画像を画像データに変換して一旦、記憶部３０２に記憶し、プリンター３０３でもって出力用紙にプリントアウトすることである。その他の例としては、画像デーをネットワーク５０を介して複合機３０との間で伝送し、ファクシミリ機能として用いることである。更に、他の例としては、ホストコンピュータ６０から文字データ、画像データをネットワーク５０を介して複合機３０に伝送し、プリンター３０２でプリントアウトすることである。
【００２６】
次に、上述した本発明の実施例による雷発生モニター用システム１の集中管理の動作について図２のフローチャートを参照して説明する。
【００２７】
ステップＳ１において、雷センサー２０は雷の発生による雷サージ電流を検出したか否かを判別する。雷サージ電流の発生が検出された場合は、この検出出力はステップＳ２で示すようにＡ／Ｄ変換回路２０２によってデジタル信号に変換される。そして、デジタル信号は電気・光変換部２０３によって光信号に変換され、光ファイバー４０を介して複合機３０に伝送される。複合機３０においては、光信号は光・電気変換部３０８によって元の電気信号に変換される。変換して得られたデジタル信号は、ステップＳ３で示すように演算処理回路３１０において所定の閾値を超えたか否かを判別される。
【００２８】
閾値を超えたデジタル信号からなるデータは、ステップＳ４で示すようにネットワーク５０を介してホストコンピュータ６０に送出される。もし、複合機３０が本来の機能のデータを伝送中に雷の発生のデータを伝送する場合は割り込みをかければよい。ホストコンピュータ６０においては、ステップＳ５で示すように複数箇所に設置された複合機３０から送られたデータを集中的に処理する。この処理は雷サージの波高値、波尾長、検出地、日時等によって雷発生の地域と雷雲の移動方向等の全体的なデータを得るものである。このデータに基づいて、ステップＳ６で示すように必要な複合機３０に処理結果のデータを返送する。
【００２９】
このデータを受信した複合機３０はステップＳ７で示すように警告表示部３０９により雷発生の警告表示を行なう。そして、このデータは記憶部３０２に記憶される。ユーザはステップＳ９で示すように必要に応じて操作部３０４を操作しプリントアウトの操作を行なう。この操作によって記憶されたデータは、ステップＳ１０で示すように記憶部３０２から読み出されてプリンター３０３においてプリントアウトされる。
【００３０】
また、上述した本発明の実施例による雷発生モニター用システム１は、ネットワーク５０に接続されたホストコンピュータ６０による集中管理を行わず、複合機３０において直接プリントアウトするように構成することもできる。図３はこのようなこう構成におけるプリントアウトの動作手順を示すフローチャートである。
【００３１】
前述した図２における場合と同様に、ステップＳ１１において、雷センサー２０は雷の発生による雷サージ電流を検出したか否かを判別する。雷サージ電流の発生が検出された場合は、この検出出力はステップＳ１２で示すようにＡ／Ｄ変換回路２０２によってデジタル信号に変換される。そして、デジタル信号は電気・光変換部２０３によって光信号に変換され、光ファイバー４０を介して複合機３０に伝送される。複合機３０においては、光信号は光・電気変換部３０８によって元の電気信号に変換される。変換して得られたデジタル信号は、ステップＳ１３で示すように演算処理回路３１０において所定の閾値を超えたか否かを判別される。
【００３２】
その後は、以下に示す複合機３０で直ちにプリントアウトする特有の動作をとる。判別されたデジタル信号からなるデータが閾値を超えた場合には、ステップＳ１４において示すように警告表示部３０９により雷発生の警告表示を行なう。その後、このデータはステップＳ１５で示すように記憶部３０２に記憶される。ユーザはステップＳ１６で示すように必要に応じて操作部３０４を操作しプリントアウトの操作を行なう。この操作によって記憶されたデータは、ステップＳ１７で示すように記憶部３０２から読み出されてプリンター３０３においてプリントアウトされる。
【００３３】
上述した本発明の実施例の雷発生モニター用システムによれば、雷センサー２０によって検出された検出出力は複合機３０においてデータ処理されて既存の記憶部３０２にされ、記憶部３０２に記憶されたデータは制御部３０５により既存のプリンター３０３によりプリントアウトされる。そのため、雷センサー２０の検出結果は、必要に応じて紙面にプリントされ、その内容を正確に把握することができる。
【００３４】
しかも、記憶部３０２、プリンター３０３等は既存の複合機３０に内蔵されているものを用いるため、実質的に雷センサー２０の出力を複合機３０の入力側に供給し、制御部３０５と演算処理回路３１０に若干の機能を付加するだけでよいため、低廉なコストで雷発生モニター用システム１を得ることとなる。
【００３５】
また、雷センサー２０によって検出された検出データは、複合機３０においてデータ処理されてネットワーク５０を介して遠隔地のホストコンピュータ６０に伝送される。そのため、雷センサー２０の検出データが既存の複合機３０とネットワーク５０を用いて既存のホストコンピュータ６０に伝送されることにより、低コストの雷発生モニター用システム１を得ることとなる。
【００３６】
また、雷の発生が異なる位置に設置された複合機３０で検出され、ネットワーク５０を介してホストコンピュータ６０に伝送され、ホストコンピュータ６０においてモニターされることにより、多点の観測データを低コストで集中管理する雷発生モニター用システム１を得ることとなる。集中管理によって処理されたデータは雷発生の全体的な動向を示すものであり、今後の予報に役立つものである。
【００３７】
また、ホストコンピュータ６０で集中的に処理されたデータがネットワーク５０を介して複合機３０に返送される。そのため、ユーザがホストコンピュータ６０で集中的に処理して得られたデータを所定の複合機３０において必要に応じて紙面にプリントし、その内容を正確に把握することができる。
【００３８】
また、雷センサー２０から複合機３０に信号を供給する手段が導線を用いない光学的なものであるため、雷センサー２０と複合機３０との間が電気的に遮断される。従って、高電圧の雷サージ電圧が複合機３０に侵入してその集積回路を損傷させてしまう事故を防止できる。
【００３９】
尚、本発明の実施例においては、複数の複合機３０がネットワーク５０を介してホストコンピュータ６０に接続するシステムを構築したが、本発明はこれに限定されることなく雷センサー２０と複合機３０とだけでシステムを構築してもよい。
【００４０】
尚、また、本発明の実施例においては、雷センサー２０と複合機３０との間を光ファイバー４０で接続し光信号による検出出力の供給が行なわれているが、本発明はこれに限定されることなく導線を用いて電気信号のままで供給するようにしてもよい。
【００４１】
尚、また、本発明の実施例においては、公衆電話用アンテナ１０を適用したが、本発明はこれに限定されることなく各種の通信用アンテナ、電力線電柱や通信ケーブル電柱に設けられた避雷針等を用いることができる。
【図面の簡単な説明】
【００４２】
【図１】図１は本発明の実施例における雷発生モニター用システムを示すブロック図である。
【図２】図２は本発明の実施例における雷発生モニター用システムにおける集中管理の動作を示すフローチャートである。
【図３】図３は本発明の実施例における雷発生モニター用システムにおけるプリントアウトの動作を示すフローチャートである。
【符号の説明】
【００４３】
１                  雷発生モニター用システム
１０                公衆電話用アンテナ
２０                雷センサー
３０                複合機
４０                光ファイバー
５０                ネットワーク
６０                ホストコンピュータ
７０                送受信装置
１０１              アンテナ線
２０１              誘導コイル
２０２              Ａ／Ｄ変換回路
２０３              電気・光変換部
３０１              スキャナー
３０２              記憶部
３０３              プリンター
３０４              操作部
３０５              制御部
３０６              インターフェース
３０７              入力端子
３０８              光・電気変換部
３０９              警告表示部
３１０              演算処理回路
【図１】
2007121110.tif 000003
【図２】
2007121110.tif 000004
【図３】
2007121110.tif 000005